(57)【要約】      （修正有）【課題】下部階の外部渡り通路内へ、上部階の外部渡り通路から落下する雨水の浸入を効率よく阻止することができる外部渡り通路を提供する。【解決手段】上部階に設けられた外部渡り通路の真下に下部階の下部外部渡り通路が設けられた左右の建物３において、外部渡り通路を一方の建物より突出るように設けられた外部渡り通路本体５と、先端部が左右方向にだけスライド移動でき、後端部が他方の建物３の目地部側床躯体に前後方向にスライド移動できるように取付けられた床目地プレート１４と、床目地プレート１４の両側部に固定された下部外部渡り通路へ雨水が落下するのを阻止する一対の庇１５と、床目地プレート１４の後端両側部に一端部が固定され、他端部が外部渡り通路本体５の側壁にスライド移動可能に取付けられた一対の手摺１６と、他方の建物の外側通路の目地部側床躯体に設けられた外壁あるいは手摺１７とで外部渡り通路１を構成している。【選択図】図３
2014080806.tif 000002
【特許請求の範囲】
【請求項１】
上部階に設けられた外部渡り通路の真下に下部階の下部外部渡り通路が設けられた左右の建物において、前記外部渡り通路を前記左右の建物の一方の建物より他方の建物方向に突出し、かつ該他方の建物との間に目地部を有するように設けられた外部渡り通路本体と、この外部渡り通路本体の先端部の床面に、先端部が左右方向にだけスライド移動でき、後端部が前記他方の建物の外側通路の目地部側床躯体に前後方向にスライド移動できるように取付けられた床目地プレートと、この床目地プレートの両側部に固定された前記下部外部渡り通路へ雨水が落下するのを阻止する一対の庇と、前記床目地プレートの後端両側部あるいは該部と一体になって移動する部材に一端部が固定され、他端部が該床目地プレートの先端部寄りの両側部に固定あるいは前記外部渡り通路本体の側壁にスライド移動できるように取付けられた一対の手摺と、前記床目地プレートの後端両側部の他方の建物の外側通路の目地部側床躯体に設けられた外壁あるいは手摺とで構成したことを特徴とする外部渡り通路。
【請求項２】
床目地プレートの後端両側部と外壁あるいは手摺との間を覆うスライド移動可能あるいは伸縮可能に覆う一対の前後方向の手摺が設けられていることを特徴とする請求項１記載の外部渡り通路。
【請求項３】
床目地プレートは前後方向に移動させる複数個のローラおよび左右方向に移動させる複数個のローラを介してスライド移動する床目地プレート本体と、この床目地プレート本体の上面に固定された両側部に傾斜面状の庇が一体形成された床目地カバープレートとで構成されていることを特徴とする請求項１記載の外部渡り通路。
【請求項４】
床目地プレートの床目地カバープレートは床目地プレート本体の両端部より上方へ突出する弧状あるいは台形状の突辺を介して庇が一体形成されていることを特徴とする請求項３記載の外部渡り通路。
【発明の詳細な説明】
【技術分野】
【０００１】
本発明は上部階に設けられた外部渡り通路の真下に下部階の下部渡り通路が設けられた左右の建物の外部渡り通路に関する。
【背景技術】
【０００２】
従来、この種の外部渡り通路は上部階の外部渡り通路の手摺部分より、下部階の外部渡り通路内へ雨水が浸入するという欠点があった。
このため、スライド雨水浸入防止材を用いる外部渡り通路用雨水浸入防止装置が考えられている。
しかしながら、このような外部渡り通路用雨水浸入防止装置は、スライド移動させるスライド雨水浸入防止部材を用いるため、構造が複雑で、設置に手数がかかり、コスト高になるという欠点があった。
【先行技術文献】
【特許文献】
【０００３】
【特許文献１】特許第４８１４１５９号公報
【発明の概要】
【発明が解決しようとする課題】
【０００４】
本発明は以上のような従来の欠点に鑑み、構造が簡単で、容易に設置することができる下部階の外部渡り通路内へ、上部階の外部渡り通路から落下する雨水の浸入を効率よく阻止することができる外部渡り通路を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は上部階に設けられた外部渡り通路の真下に下部階の下部外部渡り通路が設けられた左右の建物において、前記外部渡り通路を前記左右の建物の一方の建物より他方の建物方向に突出し、かつ該他方の建物との間に目地部を有するように設けられた外部渡り通路本体と、この外部渡り通路本体の先端部の床面に、先端部が左右方向にだけスライド移動でき、後端部が前記他方の建物の外側通路の目地部側床躯体に前後方向にスライド移動できるように取付けられた床目地プレートと、この床目地プレートの両側部に固定された前記下部外部渡り通路へ雨水が落下するのを阻止する一対の庇と、前記床目地プレートの後端両側部あるいは該部と一体になって移動する部材に一端部が固定され、他端部が前記外部渡り通路本体の側壁に沿ってスライド移動するように取付けられた一対の手摺と、前記床目地プレートの後端両側部の他方の建物の外側通路の目地部側床躯体に設けられた外壁あるいは手摺とで外部渡り通路を構成している。
【発明の効果】
【０００７】
以上の説明から明らかなように、本発明にあっては次に列挙する効果が得られる。
（１）請求項１により、床目地プレートの両側部に下部渡り通路へ雨水が落下するのを阻止する庇を固定したので、下部渡り通路へ上部階の外部渡り通路からの雨水の浸入を効率よく阻止することができる。
したがって、安全に使用することができる。
（２）前記（１）により、床目地プレートの両側に庇を固定しているので、構造が簡単で、容易に取付けることができ、低コストで設置できる。
（３）前記（１）により、庇は床目地プレートと固定されているため、該床目地プレートと一体に移動させることができる。
したがって、地震で床目地プレートが移動しても、下部階の外部渡り通路の床目地プレートも同じ位置となり、上部階の外部渡り通路からの雨水を下部階の外部渡り通路内へ浸入するのを確実に阻止することができる。
（４）請求項２も前記（１）〜（３）と同様な効果が得られるとともに、前後方向の手摺によって、地震で異なる前後左右方向に左右の建物が揺れ動いても、床面や側壁部分に隙間が生じることなく、安全に使用することができる。
【図面の簡単な説明】
【０００８】
【図１】本発明を実施するための第１の形態の正面図。
【図２】本発明を実施するための第１の形態の平面図。
【図３】図２の３−３線に沿う断面図。
【図４】図２の４−４線に沿う断面図。
【図５】本発明を実施するための第１の形態の床目地プレートの説明図。
【図６】本発明を実施するための第１の形態の地震で目地部が狭くなった動作説明図。
【図７】本発明を実施するための第１の形態の地震で目地部が広くなった動作説明図。
【図８】本発明を実施するための第１の形態の左右の建物が地震で異なる前後方向に揺れ動いた動作説明図。
【図９】本発明を実施するための第２の形態の正面図。
【図１０】本発明を実施するための第２の形態の平面図。
【図１１】図１０の１１−１１線に沿う断面図。
【図１２】本発明を実施するための第３の形態の正面図。
【図１３】本発明を実施するための第３の形態の平面図。
【図１４】図１３の１４−１４線に沿う断面図。
【図１５】本発明を実施するための第４の形態の正面図。
【図１６】本発明を実施するための第４の形態の平面図。
【図１７】図１６の１７−１７線に沿う断面図。
【図１８】本発明を実施するための第５の形態の平面図。
【図１９】図１８の１９−１９線に沿う断面図。
【図２０】本発明を実施するための第５の形態の床目地プレートの説明図。
【図２１】本発明を実施するための第6の形態の平面図。
【図２２】図２１の２２−２２線に沿う断面図。
【図２３】本発明を実施するための第6の形態の床目地プレートの説明図。
【図２４】本発明を実施するための第7の形態の平面図。
【図２５】図２４の２５−２５線に沿う断面図。
【図２６】本発明を実施するための第7の形態の床目地プレートの説明図。
【図２７】本発明を実施するための第8の形態の平面図。
【図２８】図２７の２８−２８線に沿う断面図。
【図２９】本発明を実施するための第8の形態の床目地プレートの説明図。
【図３０】本発明を実施するための第9の形態の平面図。
【図３１】図３０の３１−３１線に沿う断面図。
【図３２】本発明を実施するための第9の形態の地震で目地部が狭くなった動作説明図。
【図３３】本発明を実施するための第9の形態の左右の建物が地震で異なる前後方向に揺れ動いた動作説明図。
【発明を実施するための形態】
【０００９】
以下、図面に示す本発明を実施するための形態により、本発明を詳細に説明する。
【００１０】
図１ないし図８に示す本発明を実施するための第１の形態において、１は目地部２を介して設けられた左右の建物３、３を接続する下部階の下部外部渡り通路４の真上の上部階に設けられた本発明の外部渡り通路で、この外部渡り通路１は前記左右の建物３、３の一方の建物３より他方の建物３方向に突出し、かつ該他方の建物３との間に目地部２を有するように設けられたコ字状の外部渡り通路本体５と、この外部渡り通路本体５の先端部の床面５ａと両外壁５ｂ、５ｂとの間に形成された目地プレート侵入切り欠き部６、６と、前記外部渡り通路本体５と対応する部位の他方の建物３の外側通路７の外壁８に形成した開口部９と、この開口部９の下部位置の他方の建物３の目地部側躯体３Ａに、ほぼ水平状態となるように取付けられたガイドレール１０と、このガイドレール１０に沿って前後方向に複数個のローラ１１を介してスライド移動するように後端部が取付けられ、先端部が前記外部渡り通路本体５の先端部側の床面５ａに形成したスライド凹部１２内を左右方向にだけ複数個のローラ１３を介してスライド移動するように取付けられた床目地プレート１４と、この床目地プレート１４の両側部に一体あるいは固定された、前記下部外部渡り通路４内へ雨水が落下するのを阻止する４分の１の円弧状の庇１５、１５と、前記床目地プレート１４の後端両側部、あるいは該床目地プレート１４の後端部と一体になって移動する部材（例えば床目地プレート１４の後端部の底面に固定された前記ガイドレール１０と係合する複数個のローラ１３を備えた部材）に一端部が固定され、他端部が前記外部渡り通路本体５の両外壁５ｂ、５ｂに沿ってスライド移動する一対の手摺１６、１６と、必要に応じて取付けられる前記床目地プレート１４の後端両側部あるいは、該部と一体になって移動する部材に一端部が固定され、他端部が他方の建物３の開口部９が形成された両外壁８、８にスライド移動できるように支持、あるいは床目地プレート１４の後端部と一体になって移動する該床目地プレート１４の両側より外方に突出する部材に取付けられた一対の前後方向の手摺１７、１７と、前記床目地プレート１４の先端部および前記外部渡り通路本体５のスライド凹部１２を覆うカバープレート１８と、必要に応じて取付けられる前記外部渡り通路本体５の両外壁５ｂ、５ｂの下部位置に地震時に前記床目地プレート１４の庇１５、１５がスライド移動できるように上部あるいは下部より重なるように取り付けられた固定庇２４、２４とで構成されている。
【００１１】
なお、前記カバープレート１８の両端部に前記床目地プレート１４の庇１５、１５がスライド移動できるように上部より重なる庇を形成しても良い。
前記下部外部渡り通路４は前述の外部渡り通路１と同じ構成のものであってもよく、庇のない床目地プレート１４を用いたものであってもよい。
【００１２】
上記構成の外部渡り通路１は、通常時には図１に示すように外部渡り通路1の床面は外部渡り通路本体５の床面５ａおよび床目地プレート１４で覆われているとともに、側面は外部渡り通路本体５の外壁５ｂ、５ｂ、一対の手摺１６、１６および一対の前後方向の手摺１７、１７と他方の建物３の外側通路７の外壁８で覆われた状態となっており、開口部がなく安全に使用することができる。
【００１３】
この状態で雨が降ると、最上階の外部渡り通路１に降る雨は、一対の庇１５、１５および固定庇２４、２４によって、下部階の外部渡り通路１や下部外部渡り通路４内へ雨水が浸入するのを阻止することができる。
【００１４】
地震で目地部２が狭くなったり、広くなるように左右の建物３、３が揺れ動いた場合、図６および図７に示すように床目地プレート１４の先端部が外部渡り通路本体５の床面５ａのスライド凹部１２とカバープレート１８内への入り込み量が多くなったり、少なくなったりする左右方向の移動、固定庇２４、２４内へ庇１５、１５の入り込み量が多くなったり、少なくなったりする左右方向の移動および一対の手摺１６、１６も床目地プレート１４と一体になって左右方向に移動し、その揺れ動きを吸収する。
【００１５】
また、地震で左右の建物３、３が異なる前後方向に揺れ動いた場合、図８に示すように外部渡り通路本体５の前後方向の移動によって床目地プレート１４の後端部がガイドレール１０に沿って前後方向にスライド移動するとともに、一対の前後方向の手摺１７、１７も前後方向にスライド移動し、他方の躯体３Ａの外側通路７の外壁８との間に隙間が生じることなく、安全に使用することができる。
【００１６】
なお、地震による左右の建物３、３の揺れ動きが停止すると、自動的に元の状態に戻る。
【００１７】
[発明を実施するための異なる形態]
次に、図９ないし図３３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図９ないし図１１に示す本発明を実施するための第２の形態において、前記本発明を実施するための第１の形態と主に異なる点は、他方の建物３の外側通路７の目地部側の躯体３Ａに外壁として格子状あるいは枠状の固定手摺１９、１９を設置した点で、このように構成した外部渡り通路１Ａにしても、前記本発明を実施するための第１の形態と同様な作用効果が得られる。
【００１９】
図１２ないし図１４に示す本発明を実施するための第３の形態において、前記本発明を実施するための第１の形態と主に異なる点は、床目地プレート１４の先端部が移動する部分に外壁５ｂ、５ｂがない床面５ａだけの外部渡り通路本体５Ａを用いるとともに、該外部渡り通路本体５Ａの両外壁５ｂ、５ｂと重なり合う重なり部位２０、２０が形成された一対の手摺１６Ａ、１６Ａを設けた点で、このように構成した外部渡り通路１Ｂにしても、前記本発明を実施するための第１の形態と同様な作用効果が得られる。
【００２０】
なお、一対の手摺１６Ａ、１６Ａの重なり部位２０、２０は外部渡り通路本体５の床面５ａと左右方向にスライド移動できるように、底面にローラ２１、２１を設けたり、滑り部材を配置したり、両外壁５ｂ、５ｂと平行状態でスライド移動できるようにチャンネル状あるいはアングル状の係止金具２２、２２で係止されている。
【００２１】
図１５ないし図１７に示す本発明を実施するための第４の形態において、前記本発明を実施するための第３の形態と主に異なる点は、両外壁として格子状あるいは枠状の一対の固定手摺２３、２３を使用した外部渡り通路本体５Ｂを用いた点で、このような外部渡り通路本体５Ｂを用いて構成した外部渡り通路１Ｃにしても、前記本発明を実施するための第３の形態と同様な作用効果が得られる。
【００２２】
なお、前記本発明を実施するための各形態では４分の１の円弧状の庇１５、１５について説明したが、本発明はこれに限らず、下部外部渡り通路４内へ、該庇１５、１５から落下する雨水が浸入しない一対の手摺１６、１６より外方へ突出する形状であれば、どんな形状であってもよい。
【００２３】
また、床目地プレート１４の先端部がスムーズに左右方向にスライド移動できるような材質、例えば両面にステンレス材等を用いることにより、複数個のローラ１３が不要な床目地プレート１４やスライド凹部１２のない外部渡り通路本体５を用いることができる。
【００２４】
また、前後方向の一対の手摺として、伸縮ですることができるものを用いることにより、他方の建物３の外壁あるいは外壁としての固定手摺１９、１９に一端部を取付けるものを使用してもよい。
【００２５】
図１８ないし図２０に示す本発明を実施するための第５の形態において、前記本発明を実施するための第１の形態と主に異なる点は、前後左右方向に複数個のローラ１１および複数個のローラ１３を介してスライド移動する床目地プレート本体１４ａと、この床目地プレート本体１４ａの上面に固定された傾斜面状の庇１５Ａ、１５Ａが一体形成された床目地カバープレート１４ｂとで構成した床目地プレート１４Ａを用いた点で、このような床目地プレート１４Ａを用いて構成した外部渡り通路１Ｄにしても、前記本発明を実施するための第１の形態と同様な作用効果が得られる。
【００２６】
図２１ないし図２３に示す本発明を実施するための第６の形態において、前記本発明を実施するための第５の形態と主に異なる点は、先端部をアングル状に曲げ加工して樋１５ａ、１５ａを形成した庇１５Ｂ、１５Ｂが一体形成された床目地カバープレート１４ｃを用いて構成した床目地プレート１４Ｂを用いた点で、このような床目地プレート１４Ｂを用いて構成した外部渡り通路１Ｅにしても、前記本発明を実施するための第５の形態と同様な作用効果が得られる。
【００２７】
図２４ないし図２６に示す本発明を実施するための第７の形態において、前記本発明を実施するための第５の形態と主に異なる点は、先端部をアングル状に曲げ加工して水切り部１５b、１５bを形成した庇１５C、１５Ｃが一体形成された床目目地カバープレート１４ｄを用いて構成した床目地プレート１４Ｃを用いた点で、このような床目地プレート１４Ｃを用いて構成した外部渡り通路１Ｆにしても、前記本発明を実施するための第５の形態と同様な作用効果が得られる。
【００２８】
図２７ないし図２９に示す本発明を実施するための第８の形態において、前記本発明を実施するための第５の形態と主に異なる点は、床目地プレート本体１４ａの両端部より上方へ突出する弧状あるいは台形状の突辺１５ｃ、１５ｃを介して形成した庇１５Ｄ、１５Ｄが一体形成された床目地カバープレート１４ｅを用いて構成した床目地プレート１４Ｄを用いた点で、このような床目地プレート１４Ｄを用いて構成した外部渡り通路１Ｇにしても、前記本発明を実施するための第５の形態と同様な作用効果が得られるとともに、該床目地カバープレート１４ｅ上で小物を落としても下部階に落下するのを効率よく防止することができる。
【００２９】
なお、床目地プレートは、前記本発明を実施するための第1の形態と同様に床目地プレート本体と床目地カバープレートとが一体に形成されたものであっても良い。
【００３０】
図３０ないし図３３に示す本発明を実施するための第９の形態において、前記本発明を実施するための第３の形態と主に異なる点は、前後方向の手摺１７、１７の床目地プレート１４側の支柱に一端部が取り付けられ、他端部が外部渡り通路本体５の両外壁５ｂ、５ｂに取り付けられた伸縮する一対の手摺１６Ｂ、１６Ｂを用いた点で、このような伸縮する一対の手摺１６Ｂ、１６Ｂを用いて構成した外部渡り通路１Ｈにしても、前記本発明を実施するための第３の形態と同様な作用効果が得られる。
【００３１】
なお、伸縮する一対の手摺１６Ｂ、１６Ｂの一端部は床目地プレート１４の後端部の両側に固定した支柱に取り付けても良い。
【００３２】
また、前後方向の手摺１７、１７にも伸縮できる構造の手摺を用いても良い。この場合、床目地プレート１４の幅寸法より大きな開口部９を形成したり、あるいは開口部９の端部より離れた位置の他方の建物の外壁に手摺の他端部を取り付ける。
【産業上の利用可能性】
【００３３】
本発明は目地部を介して設けられた左右の建物を接続する外部渡り通路を製造したり、設置する産業で利用される。
【符号の説明】
【００３４】
１、１Ａ、１Ｂ、１Ｃ、１Ｄ、１Ｅ、１Ｆ、１Ｇ、１Ｈ：外部渡り通路、
２：目地部、        ３：建物、
４：下部外部渡り通路、    
５、５Ａ、５Ｂ：外部渡り通路本体、  
６：目地プレート侵入切り欠き部、
７：外側通路、      ８：外壁、
９：開口部、        １０：ガイドレール、
１１：ローラ、      １２：スライド凹部、
１３：ローラ、                １４ａ：床目地プレート本体
１４、１４Ａ、１４Ｂ、１４Ｃ、１４Ｄ：床目地プレート、
１５、１５Ａ、１５Ｂ、１５Ｃ、１５Ｄ：庇、
１６、１６Ａ：手摺、
１７：前後方向の手摺、    １８：カバープレート、
１９：外壁としての固定手摺、  ２０：重なり部位、
２１：ローラ、      ２２：係止金具、
２３：外壁としての固定手摺、  ２４：固定庇。
【図１】
2014080806.tif 000003
【図２】
2014080806.tif 000004
【図３】
2014080806.tif 000005
【図４】
2014080806.tif 000006
【図５】
2014080806.tif 000007
【図６】
2014080806.tif 000008
【図７】
2014080806.tif 000009
【図８】
2014080806.tif 000010
【図９】
2014080806.tif 000011
【図１０】
2014080806.tif 000012
【図１１】
2014080806.tif 000013
【図１２】
2014080806.tif 000014
【図１３】
2014080806.tif 000015
【図１４】
2014080806.tif 000016
【図１５】
2014080806.tif 000017
【図１６】
2014080806.tif 000018
【図１７】
2014080806.tif 000019
【図１８】
2014080806.tif 000020
【図１９】
2014080806.tif 000021
【図２０】
2014080806.tif 000022
【図２１】
2014080806.tif 000023
【図２２】
2014080806.tif 000024
【図２３】
2014080806.tif 000025
【図２４】
2014080806.tif 000026
【図２５】
2014080806.tif 000027
【図２６】
2014080806.tif 000028
【図２７】
2014080806.tif 000029
【図２８】
2014080806.tif 000030
【図２９】
2014080806.tif 000031
【図３０】
2014080806.tif 000032
【図３１】
2014080806.tif 000033
【図３２】
2014080806.tif 000034
【図３３】
2014080806.tif 000035